(57)【特許請求の範囲】
【請求項１】
複数の表示装置によって表示された各表示装置の識別情報を含む識別画像を撮像して撮像画像を生成する撮像部と、
前記撮像画像における各識別画像の位置を判定し、前記撮像画像に含まれる前記識別情報を識別して、前記位置と前記識別情報とを関連付けた関連付けデータを生成するデータ生成部と、
を含み、
前記データ生成部は、前記各識別画像の位置の判定及び前記識別情報の識別を行う際に、前記関連付けデータを参照して前記表示装置の配置が変更されたかどうかを判定し、前記表示装置の配置が変更された場合に前記関連付けデータを再生成することを特徴とする識別システム。
【請求項２】
請求項１に記載の識別システムにおいて、
前記関連付けデータに基づき、前記位置に応じた前記表示装置ごとの画像情報を生成する画像情報生成部を含むことを特徴とする識別システム。
【請求項３】
請求項２に記載の識別システムにおいて、
前記関連付けデータに基づき、前記画像情報を当該画像情報に基づく画像を表示する前記表示装置へ向け送信する送信部を含むことを特徴とする識別システム。
【請求項４】
請求項３に記載の識別システムにおいて、
前記送信部は、前記識別画像の表示指示を示す表示制御情報を各表示装置へ向け送信することを特徴とする識別システム。
【請求項５】
識別情報を含む識別画像を投写対象領域に投写する投写部と、
前記投写部によって投写された前記識別画像と、他のプロジェクタによって前記投写対象領域に投写された前記識別画像とを撮像して撮像画像を生成する撮像部と、
前記撮像画像における各識別画像の位置を判定し、前記撮像画像に含まれる前記識別情報を識別して、前記位置と前記識別情報とを関連付けた関連付けデータを生成するデータ
生成部と、
を含み、
前記データ生成部は、前記各識別画像の位置の判定及び前記識別情報の識別を行う際に、前記関連付けデータを参照して各プロジェクタの配置が変更されたかどうかを判定し、各プロジェクタの配置が変更された場合に前記関連付けデータを再生成することを特徴とするプロジェクタ。
【請求項６】
撮像部を制御するコンピュータにより読み取り可能なプログラムにおいて、
前記コンピュータを、
複数の表示装置によって表示された各表示装置の識別情報を含む識別画像を前記撮像部に撮像させて撮像画像を生成させる撮像制御部と、
前記撮像画像における各識別画像の位置を判定し、前記撮像画像に含まれる前記識別情報を識別して、前記位置と前記識別情報とを関連付けた関連付けデータを生成するデータ生成部として機能させ、
前記データ生成部は、前記各識別画像の位置の判定及び前記識別情報の識別を行う際に、前記関連付けデータを参照して前記表示装置の配置が変更されたかどうかを判定し、前記表示装置の配置が変更された場合に前記関連付けデータを再生成することを特徴とするプログラム。
【請求項７】
複数の表示装置を識別する識別方法において、
複数の表示装置によって表示された各表示装置の識別情報を含む識別画像を、撮像部を制御して撮像させて撮像画像を生成させ、
前記撮像画像に含まれる前記識別情報を識別し、
前記撮像画像における各識別画像の位置を判定し、
前記位置と前記識別情報とを関連付けた関連付けデータを生成し、
前記各識別画像の位置の判定及び前記識別情報の識別を行う際に、前記関連付けデータを参照して前記表示装置の配置が変更されたかどうかを判定し、前記表示装置の配置が変更された場合に前記関連付けデータを再生成することを特徴とする識別方法。
【発明の詳細な説明】
【技術分野】
【０００１】
本発明は、複数の表示装置の識別を行うための識別システム、プロジェクタ、プログラムおよび識別方法に関する。
【背景技術】
【０００２】
複数のプロジェクタがネットワークを介して接続されたり、複数のプロジェクタを用いて画像が投写されたりする場合がある。このような場合、各プロジェクタを識別する必要がある。プロジェクタを識別する手法として、例えば、特開２００６−３９０３号公報では、ブロードキャスト送信を行って各プロジェクタからプロジェクタ名とＩＰアドレスを返信させて取得する手法が記載されている。また、特開２００６−３０４１００号公報では、カメラと測距センサを用いてプロジェクタの位置の変化を検出する手法が記載されている。
【特許文献１】特開２００６−３９０３号公報
【特許文献２】特開２００６−３０４１００号公報
【発明の開示】
【発明が解決しようとする課題】
【０００３】
しかし、どちらの手法であっても、プロジェクタを位置と関連付けて識別することはできない。例えば、プロジェクタＡが左、プロジェクタＣが中央、プロジェクタＢが右に配置された状態で各プロジェクタが配置に応じた画像を投写する場合、ＰＣ（Personal Computer）等の画像供給装置は、各プロジェクタを位置と関連付けて識別することが必要である。しかし、従来の手法では、プロジェクタ等の表示装置を当該表示装置が配置されている位置と関連付けて自動的に識別することはできなかった。
【０００４】
本発明の目的は、複数の表示装置が用いられる場合に、各表示装置を位置と関連付けて自動的に識別することが可能な識別システム、プロジェクタ、プログラムおよび識別方法を提供することにある。
【課題を解決するための手段】
【０００５】
上記課題を解決するため、本発明に係る識別システムは、複数の表示装置によって表示された各表示装置の識別情報を含む識別画像を撮像して撮像画像を生成する撮像部と、前記撮像画像における各識別画像の位置および前記撮像画像に含まれる前記識別情報に基づき、前記位置と前記識別情報とを関連付けた関連付けデータを生成するデータ生成部と、を含むことを特徴とする。
【０００６】
また、本発明に係るプロジェクタは、識別情報を含む識別画像を投写対象領域に投写する投写部と、前記投写部によって投写された前記識別画像と、他のプロジェクタによって前記投写対象領域に投写された前記識別画像とを撮像して撮像画像を生成する撮像部と、前記撮像画像における各識別画像の位置および前記撮像画像に含まれる前記識別情報に基づき、前記位置と前記識別情報とを関連付けた関連付けデータを生成するデータ生成部と、を含むことを特徴とする。
【０００７】
また、本発明に係るプログラムは、撮像部を制御するコンピュータにより読み取り可能なプログラムにおいて、前記コンピュータを、複数の表示装置によって表示された各表示装置の識別情報を含む識別画像を前記撮像部に撮像させて撮像画像を生成させる撮像制御部と、前記撮像画像における各識別画像の位置および前記撮像画像に含まれる前記識別情報に基づき、前記位置と前記識別情報とを関連付けた関連付けデータを生成するデータ生成部として機能させることを特徴とする。
【０００８】
また、本発明に係る識別方法は、複数の表示装置を識別する識別方法において、複数の表示装置によって表示された各表示装置の識別情報を含む識別画像を、撮像部を制御して撮像させて撮像画像を生成させ、前記撮像画像に含まれる前記識別情報を識別し、前記撮像画像における各識別画像の位置を判定し、前記位置と前記識別情報とを関連付けた関連付けデータを生成することを特徴とする。
【０００９】
本発明によれば、識別システム等は、表示装置によって表示された識別画像を撮像して撮像画像内の各識別画像の位置と識別情報を識別することにより、各表示装置を位置と関連付けて自動的に識別することができ、各表示装置の位置と識別情報とを関連付けた関連付けデータを生成することができる。
【００１０】
また、前記識別システム等は、前記撮像画像と、前記関連付けデータとに基づき、前記表示装置の配置が変更されたかどうかを判定する判定部を含み、前記データ生成部は、前記表示装置の配置が変更された場合に前記関連付けデータを再生成してもよい。
【００１１】
これによれば、識別システム等は、表示装置の配置が変更された場合であっても当該変更の内容を把握することができ、自動的に配置の変更に対応することができる。
【００１２】
また、前記識別システム等は、前記関連付けデータに基づき、前記位置に応じた前記表示装置ごとの画像情報を生成する画像情報生成部を含んでもよい。
【００１３】
これによれば、識別システム等は、位置に応じた表示装置ごとの画像情報を生成することにより、１つの画像を複数の表示装置で分担して表示させたり、１つの画像を複数の表示装置で重ね合わせて表示させたりする場合であっても、適切に表示させることができる。
【００１４】
また、前記識別システム等は、前記関連付けデータに基づき、前記画像情報を当該画像情報に基づく画像を表示する前記表示装置へ向け送信する送信部を含んでもよい。
【００１５】
これによれば、識別システム等は、位置に応じた表示装置ごとの画像情報を各表示装置に提供することにより、１つの画像を複数の表示装置で分担して表示させたり、１つの画像を複数の表示装置で重ね合わせて表示させたりする場合であっても、適切に表示させることができる。
【００１６】
また、前記送信部は、前記識別画像の表示指示を示す表示制御情報を各表示装置へ向け送信してもよい。
【００１７】
これによれば、識別システム等は、各表示装置の識別画像の表示を制御することができるため、より短時間で各表示装置の識別を行うことができる。
【発明を実施するための最良の形態】
【００１８】
以下、本発明をプロジェクタ等に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
（第１の実施例）
図１は、第１の実施例におけるシステムの全体図である。このシステムは、表示装置の一種である複数のプロジェクタ１００−１〜１００−３と、ＰＣ２００を用いて高解像度の画像を投写するシステムである。ＰＣ２００は、各プロジェクタ１００を識別して各プロジェクタ１００の配置を把握する識別システムとして機能する。
【００２０】
また、図１に示すように、各プロジェクタ１００は、それぞれ自分の識別情報を示す識別画像３０−１〜３０−３を含む投写画像２０−１〜２０−３をスクリーン１０に投写する。ＰＣ２００は、識別画像３０を含む識別画像３０が投写されたスクリーン１０を含む領域を撮像することにより、各プロジェクタ１００を識別する。
【００２１】
次に、このような機能を有するＰＣ２００の機能ブロックについて説明する。図２は、第１の実施例におけるＰＣ２００の機能ブロック図である。ＰＣ２００は、ユーザの操作に応じて操作情報を生成する操作部２１０と、種々のデータを記憶する記憶部２２０と、操作情報に基づいて種々の制御を行う制御部２３０と、撮像情報を生成する撮像部２４０と、種々のデータを生成するデータ生成部２５０と、画像情報を生成する画像情報生成部２６０と、種々の情報を送受信する通信部２９０とを含んで構成されている。
【００２２】
また、記憶部２２０は、各プロジェクタ１００の識別情報と各プロジェクタ１００の位置とが関連付けられた関連付けデータ２２２、画像情報を生成するための画像データ２２４等を記憶する。
【００２３】
なお、これらの各部の機能を実装するためのハードウェアとしては、例えば、以下のハードウェアが採用されてもよい。例えば、操作部２１０としてはキーボード、マウス等、記憶部２２０としてはＨＤＤ等、制御部２３０、データ生成部２５０、画像情報生成部２６０としてはＣＰＵ等、撮像部２４０としてはＣＭＯＳカメラ等、通信部２９０としては無線ＬＡＮ通信ユニット等が採用されてもよい。
【００２４】
また、ＰＣ２００は、これらの各部の機能をＰＣ２００に実装するためのプログラムを情報記憶媒体３００から読み取ることにより、各部の機能を実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２５】
次に、プロジェクタ１００を識別するためのＰＣ２００の処理手順について説明する。図３は、第１の実施例におけるＰＣ２００の処理手順を示すフローチャートである。制御部２３０は、操作部２１０によって識別指示の操作情報が生成されたかどうかを判定することにより、識別指示があったかどうかを判定する（ステップＳ１）。例えば、ユーザがＰＣ２００のキーボードを用いて所定のキー操作を行うことにより、識別指示の操作情報が生成される。
【００２６】
識別指示があった場合、制御部２３０は、識別画像３０を投写させるための表示制御情報を通信部２９０に送信させる制御情報を通信部２９０に出力する。通信部２９０は、当該制御情報に基づき、ブロードキャスト通信方式で表示制御情報を送信する（ステップＳ２）。なお、プロジェクタ１００とＰＣ２００とは無線ＬＡＮ、有線ＬＡＮ、短距離無線通信等によって相互に通信可能であるものとする。
【００２７】
各プロジェクタ１００は、ＰＣ２００から表示制御情報を受信し、あらかじめ記憶された識別画像３０を投写するための画像データ２２４に基づき、識別画像３０を含む投写画像２０を投写する。
【００２８】
なお、識別画像３０としては、例えば、図１に示すような２次元コード、文字列、所定の図形（色、模様、形状等で識別可能な図形）等が採用されてもよい。例えば、図１に示す識別画像３０−１は「EPPJ1_192.168.0.1」が２次元コード化されたものであり、識別画像３０−１は「EPPJ3_192.168.0.3」が２次元コード化されたものであり、識別画像３０−１は「EPPJ2_192.168.0.2」が２次元コード化されたものである。このように、本実施例では、識別情報は、EPPJ1等のプロジェクタ名と、192.168.0.1等の通信用のＩＰアドレスで構成されている。
【００２９】
撮像部２４０は、スクリーン１０に投写された識別画像３０−１〜３０−３を含む領域を撮像する（ステップＳ３）。なお、撮像部２４０は、ユーザの操作に基づく制御部２３０からの撮像制御情報に応じて撮像してもよいし、表示制御情報の送信後の経過時間に応じて（例えば、表示制御情報の送信後１分が経過した時点等に）自動的に撮像してもよい。
【００３０】
データ生成部２５０は、撮像部２４０による撮像画像４０に含まれる識別画像３０を識別する（ステップＳ４）。図４は、第１の実施例における撮像画像４０の一例を示す図である。撮像画像４０には、識別画像３０−１〜３０−３が含まれている。データ生成部２５０は、各識別画像３０を元の文字列（「EPPJ1_192.168.0.1」等）にデコードする。
【００３１】
また、データ生成部２５０は、撮像画像４０における各識別画像３０の位置を判定する（ステップＳ５）。例えば、図４に示す例では、識別画像３０−１が左、識別画像３０−２が中央、識別画像３０−３が右にあると判定される。
【００３２】
データ生成部２５０は、これらの判定結果に基づき、関連付けデータ１２２を生成する（ステップＳ６）。図５は、第１の実施例における関連付けデータ１２２の一例を示す図である。例えば、関連付けデータ１２２は、項目として、「プロジェクタ名」、「ＩＰアドレス」、「位置」等を含む。「位置」は最も左が「１」であり、右に向かって数値が１つずつ増加する。したがって、プロジェクタ名が「EPPJ1」であるプロジェクタ１００−１の「位置」は「１」であり、プロジェクタ名が「EPPJ3」であるプロジェクタ１００−２の「位置」は「２」であり、プロジェクタ名が「EPPJ2」であるプロジェクタ１００−３の「位置」は「３」になる。
【００３３】
画像情報生成部２６０は、関連付けデータ２２２と、画像データ２２４に基づき、画像情報を生成する（ステップＳ７）。具体的には、画像情報生成部２６０は、関連付けデータ２２２の「位置」に応じて画像表示領域を各プロジェクタ１００に割り当て、画像表示領域ごとの画像を表示するための情報と、関連付けデータ１２２の「ＩＰアドレス」で示される当該「位置」に該当するＩＰアドレスを含む画像情報を生成する。
【００３４】
通信部２９０は、当該画像情報に含まれるＩＰアドレスの宛先のプロジェクタ１００へ向け当該画像情報を送信する（ステップＳ８）。プロジェクタ１００は、画像情報に基づき、画像を投写する。
【００３５】
図６は、第１の実施例における投写画像２１の一例を示す図である。例えば、プロジェクタ１００−１は、左用の投写画像２１−１を投写し、プロジェクタ１００−２は、中央用の投写画像２１−１を投写し、プロジェクタ１００−３は、右用の投写画像２１−３を投写する。
【００３６】
以上のように、本実施例によれば、ＰＣ２００は、プロジェクタ１００によって投写された識別画像３０を撮像して撮像画像４０内の各識別画像３０の位置と識別情報を識別することにより、各プロジェクタ１００を位置と関連付けて自動的に識別することができ、各プロジェクタ１００の位置と識別情報とを関連付けた関連付けデータ２２２を生成することができる。
【００３７】
また、本実施例によれば、ＰＣ２００は、位置に応じたプロジェクタ１００ごとの画像情報を生成することにより、１つの画像を複数のプロジェクタ１００で分担して投写させたり、１つの画像を複数のプロジェクタ１００で重ね合わせて投写させたりする場合であっても、適切に投写させることができ、適切な画像表示を行うことができる。
【００３８】
また、本実施例によれば、識別情報にＩＰアドレスを含めることにより、ＰＣ２００は、プロジェクタ１００のＩＰアドレスを自動的に取得することができ、プロジェクタ１００ごとに異なる画像情報を効率的に送信することができる。
【００３９】
また、本実施例によれば、ＰＣ２００は、表示制御情報を各プロジェクタ１００に送信することにより、各プロジェクタ１００の識別画像３０の投写を制御することができるため、例えば、プロジェクタ１００が起動直後に識別画像３０を投写し、ＰＣ２００がプロジェクタ１００の起動後所定時間が経過してから撮像、識別を行う場合と比べ、より短時間で各表示装置の識別を行うことができる。
【００４０】
また、本実施例によれば、ＰＣ２００は、ユーザによるプロジェクタ１００の識別作業をなくすことができ、いわゆるマルチスクリーンでの画像表示を行う場合のユーザの手間を軽減できる。
【００４１】
（第２の実施例）
第１の実施例では、ＰＣ２００がプロジェクタ１００の識別を行ったが、複数のプロジェクタのうちの少なくとも１台のプロジェクタが各プロジェクタの識別を行ってもよい。第２の実施例では、すべてのプロジェクタが各プロジェクタの識別を行う実施例について説明する。
【００４２】
図７は、第２の実施例におけるシステムの全体図である。このシステムは、複数のプロジェクタ１０１−１〜１０１−３を用いて高解像度の画像を投写するシステムである。
【００４３】
図８は、第２の実施例におけるプロジェクタ１０１の機能ブロック図である。プロジェクタ１０１は、ユーザの操作に応じて操作情報を生成する操作部１１０と、種々のデータを記憶する記憶部１２０と、操作情報に基づいて種々の制御を行う制御部１３０と、撮像情報を生成する撮像部１４０と、種々のデータを生成するデータ生成部１５０と、画像を生成する画像生成部１７０と、投写部１８０と、種々の情報を送受信する通信部１９０とを含んで構成されている。
【００４４】
また、記憶部１２０は、各プロジェクタ１０１の識別情報と各プロジェクタ１０１の位置とが関連付けられた関連付けデータ１２２、画像を生成するための画像データ１２４、投写部１８０の表示領域（解像度）を示す表示領域データ１２６等を記憶する。
【００４５】
なお、これらの各部の機能を実装するためのハードウェアとしては、例えば、以下のハードウェアが採用されてもよい。例えば、操作部１１０としてはボタン、リモートコントローラ等、記憶部１２０としてはＨＤＤ等、制御部１３０、データ生成部１５０としてはＣＰＵ等、撮像部１４０としてはＣＭＯＳカメラ等、画像生成部１７０としては画像処理回路等、投写部１８０としてはランプ、液晶パネル、駆動回路、投写レンズ等、通信部１９０としては無線ＬＡＮ通信ユニット等が採用されてもよい。
【００４６】
また、プロジェクタ１０１は、これらの各部の機能をプロジェクタ１０１に実装するためのプログラムを情報記憶媒体３０１から読み取ることにより、各部の機能を実装してもよい。
【００４７】
次に、複数のプロジェクタ１０１を識別するための処理手順について説明する。図９は、第２の実施例におけるプロジェクタ１０１の処理手順を示すフローチャートである。なお、基本的な処理手順は第１の実施例と同様であるため、詳細な説明は省略する。
【００４８】
まず、制御部１３０は、識別指示があったかどうかを判定する（ステップＳ１１）。識別指示があった場合、画像生成部１７０は、画像データ１２４に基づき、識別画像３０を含む投写画像２０を生成し、投写部１８０は、当該投写画像２０を投写する（ステップＳ１２）。なお、ユーザは、すべてのプロジェクタ１０１に対して識別指示を行うものとする。
【００４９】
撮像部１４０は、スクリーン１０に投写された識別画像３０−１〜３０−３を含む領域を撮像する（ステップＳ１３）。なお、すべてのプロジェクタ１０１に対して識別指示が行われることにより、スクリーン１０には、各プロジェクタ１０１によって識別画像３０−１〜３０−３が投写されることになる。
【００５０】
データ生成部１５０は、撮像部１４０による撮像画像４０に含まれる識別画像３０を識別し（ステップＳ１４）、撮像画像４０における各識別画像３０の位置を判定し（ステップＳ１５）、関連付けデータ１２２を生成する（ステップＳ１６）。
【００５１】
画像生成部１７０は、関連付けデータ１２２、画像データ１２４、表示領域データ１２６に基づき、自分が担当する画像表示領域を決定する（ステップＳ１７）。例えば、表示領域データ１２６が、投写部１８０の液晶パネルの解像度が８００×６００画素であることを示し、画像データ１２４が、画像の解像度が２４００×６００画素であることを示し、関連付けデータ１２２の「位置」が「２」である場合、画像生成部１７０は、水平方向の画素位置が８０１〜１６００までで垂直方向の画素位置が１〜６００までの領域を自分が担当する画像表示領域として決定する。
【００５２】
そして、画像生成部１７０は、画像データ１２４に基づき、決定した画像表示領域の画像を生成し（ステップＳ１８）。投写部１８０は、当該画像を投写する（ステップＳ１９）。
【００５３】
このように、各プロジェクタ１０１が、自分の担当する画像表示領域を決定し、当該画像表示領域の画像を投写することにより、図６に示す投写画像２１−１〜２１−３がスクリーン１０に投写される。
【００５４】
以上のように、本実施例のように、ＰＣ２００が用いられない場合であっても、プロジェクタ１０１は、第１の実施例と同様の作用効果を奏する。
【００５５】
（その他の実施例）
なお、本発明の適用は上述した実施例に限定されず、種々の変形が可能である。例えば、表示装置としては、プロジェクタ１００、１０１だけではなく、モニタ、テレビ等の複数台で画像が表示される種々の装置が該当する。
【００５６】
図１０は、その他の実施例におけるシステムの全体図である。例えば、プロジェクションテレビ４００−１〜４００−３がそれぞれ識別画像３１−１〜３１−３を含む表示画像７０−１〜７０−３を表示し、ＰＣ２００が識別画像３１−１〜３１−３を含む領域を撮像してもよい。
【００５７】
また、第２の実施例では、すべてのプロジェクタ１０１が撮像、識別を行ったが、マスタとして機能する１台のプロジェクタ１０１のみが撮像、識別を行ってもよい。この場合、ユーザが中央のプロジェクタ１０１−２を選択して各プロジェクタ１０１の識別を行ってもよいし、最初に起動したプロジェクタ１０１がマスタとなって各プロジェクタ１０１の識別を行ってもよい。
【００５８】
また、ＰＣ２００、プロジェクタ１０１は、撮像画像４０と、関連付けデータ１２２、２２２に基づき、プロジェクタ１００、１０１の配置が変更されたかどうかを判定する判定部を含み、データ生成部１５０、２５０は、識別時に関連付けデータ１２２、２２２を参照して配置が変更されている場合のみ当該配置に応じて関連付けデータ１２２、２２２を再生成してもよい。
【００５９】
これによれば、ＰＣ２００、プロジェクタ１０１は、プロジェクタ１００、１０１の配置が変更された場合であっても当該変更の内容を把握することができ、自動的に配置の変更に対応することができる。
【００６０】
また、画像情報生成部２６０、画像生成部１７０は、関連付けデータ１２２の「位置」と、位置ごとの画像の割り当てを示す割り当てデータに基づいてプロジェクタ１００、１０１ごとの画像を決定してもよい。例えば、割り当てデータは、位置が１の表示装置にＤＶＤプレーヤからの画像を割り当て、位置が２の表示装置にＰＣからの画像を割り当てることを示したり、位置が１の表示装置にサブ画像を割り当て、位置が２の表示装置にメイン画像（プライマリ画像）を割り当てることを示したりするデータであってもよい。
【００６１】
また、ＰＣ２００は、生成した関連付けデータ２２２を各プロジェクタ１００に送信し、各プロジェクタ１００が関連付けデータ２２２を記憶してもよい。これによれば、ＰＣ２００は、ユーザによるプロジェクタ１００へのプロジェクタ１００の配置に関する登録作業をなくすことができる。
【００６２】
また、プロジェクタ１００、１０１は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、ＰＣ２００やプロジェクタ１００、１０１の機能を複数の装置（例えば、ＰＣとデジタルカメラ、ＰＣとプロジェクタ等）に分散して実装してもよい。
【図面の簡単な説明】
【００６３】
【図１】第１の実施例におけるシステムの全体図である。
【図２】第１の実施例におけるＰＣの機能ブロック図である。
【図３】第１の実施例におけるＰＣの処理手順を示すフローチャートである。
【図４】第１の実施例における撮像画像の一例を示す図である。
【図５】第１の実施例における関連付けデータの一例を示す図である。
【図６】第１の実施例における投写画像の一例を示す図である。
【図７】第２の実施例におけるシステムの全体図である。
【図８】第２の実施例におけるプロジェクタの機能ブロック図である。
【図９】第２の実施例におけるプロジェクタの処理手順を示すフローチャートである。
【図１０】その他の実施例におけるシステムの全体図である。
【符号の説明】
【００６４】
１０  スクリーン、２０、２１  投写画像、３０、３１  識別画像、４０  撮像画像、７０  表示画像、１００  プロジェクタ（表示装置）、１１０、２１０  操作部、１２０、２２０  記憶部、１２２、２２２  関連付けデータ、１２４、２２４  画像データ、１２６  表示領域データ、１３０、２３０  制御部、１４０、２４０  撮像部、１５０、２５０  データ生成部、１７０  画像生成部、１８０  投写部、１９０、２９０  通信部、２００  ＰＣ（識別システム）、２６０  画像情報生成部、３００、３０１  情報記憶媒体、４００  プロジェクションテレビ（表示装置）
【図１】
0005263474.tif 000002
【図２】
0005263474.tif 000003
【図３】
0005263474.tif 000004
【図４】
0005263474.tif 000005
【図５】
0005263474.tif 000006
【図６】
0005263474.tif 000007
【図７】
0005263474.tif 000008
【図８】
0005263474.tif 000009
【図９】
0005263474.tif 000010
【図１０】
0005263474.tif 000011